(57)【要約】【課題】  ショーツ等に固定する際の位置決めが容易で、適切な位置に精度良く配置でき、更にショーツ等が排泄液で汚れることを防止することができる吸収性物品を提供すること。【解決手段】  本発明の吸収性物品１は、液保持層及び防漏層を具備する本体部分２と、該本体部分２を囲む、透明又は半透明の周辺部５とからなる。周辺部５は、好ましくは防漏性シートからなる。本体部分２の非肌当接面には、粘着部が、本体部分２の周縁から延出して周辺部５まで達するように形成されていることが好ましい。【選択図】  図３
2006158747.tif 000002
【特許請求の範囲】
【請求項１】
液保持層及び防漏層を具備する本体部分と、該本体部分を囲む、透明又は半透明の周辺部とからなる吸収性物品。
【請求項２】
前記周辺部は、防漏性シートからなる請求項１記載の吸収性物品。
【請求項３】
前記本体部分の非肌当接面に吸収性物品固定用の粘着部が形成されており、該粘着部は、該本体部分の周縁から延出して前記周辺部まで達している請求項１又は２記載の吸収性物品。
【請求項４】
前記本体部分の面積が１２〜７０ｃｍ2であり、該本体部分の面積に対する前記周辺部の面積の比（後者／前者）が０．２〜０．９である請求項１〜３の何れか記載の吸収性物品。
【請求項５】
ショーツのクロッチ部に、該クロッチ部の両側縁からはみ出さないように載置されて用いられる請求項１〜４の何れか記載の吸収性物品。
【発明の詳細な説明】
【技術分野】
【０００１】
本発明は、パンティライナー（おりものシート）、生理用ナプキン、失禁パッド等の吸収性物品に関する。
【背景技術】
【０００２】
パンティライナー（おりものシート）や生理用ナプキン、失禁パッド等の吸収性物品は、着用者の排泄部との関係において適切な位置に配されることによって、その性能を充分に発揮する。
ところで、近年においては、吸収させるべき排泄液の量に応じて多様なサイズの吸収性物品が市販されており、比較的少量の液を吸収させることを目的として、例えば縦１４〜１７ｃｍ、横４〜７ｃｍといった比較的小型の吸収性物品も市販されている。特におりものシートにおいては、縦１４ｃｍ、横（最大幅）６ｃｍ程度が主として市販されている。
【０００３】
このような小型の吸収性物品は、正確に下着の中央部分につけている限り股に当たりにくく、つけている感じがしないなど、感触向上という観点で良好である。更に、原材料の低減、携帯性の向上という観点でも有利である。しかし、その反面、ショーツへの固定を片手で行うことが多いことに起因してショーツの前後方向に対して傾斜した状態に固定してしまったり、適切な位置からずれた位置に固定され易いという問題がある。また、適切な位置に固定できても、着用中にずれやヨレが生じることによって、排泄液が、吸収性物品から漏れてショーツや着衣を汚してしまうという問題もある。
【０００４】
少量の液を吸収させることを目的とする場合であっても、比較的大きめの吸収性物品とし、かわりに全体を薄くすることで、このような問題をある程度防止し、かつ薄さから装着感を若干は向上させることができるが、それでは、原材料の低減や携帯性の向上を図ることができず、また十分に感触改善可能なほど全体を薄くすることもできない。
【０００５】
特許文献１には、開孔表面材の下に、着色された材料を配し、その色が表面材の開孔を介して表面材側から見えるようにした吸収性物品が記載され、特許文献２には、表面材の下に配された材料に印刷した模様が、表面材側から透けて見えるようにした吸収性物品が記載されている。更に、特許文献３には、吸収性物品の一部を透明にした吸収性物品が記載されている。
【０００６】
【特許文献１】特開平１１−２９９８２５号公報
【特許文献２】国際公開第２００４／００６８１８号パンフレット
【特許文献３】特表２００３−５２７９２８号公報
【発明の開示】
【発明が解決しようとする課題】
【０００７】
特許文献１，２記載の吸収性物品においては、該吸収性物品をショーツのクロッチ部等に固定する際に、クロッチ部の前後の縫い目や側縁部が、該吸収性物品に隠れるため、これらの吸収性物品を、クロッチ部の前後の縫い目や側縁部との相対的な位置関係を目安にして、ショーツ等の適切な位置に固定することはできない。また、特許文献３記載の吸収性物品においては、主に、ウイング部を下着の外側から見たときに目立たないようにすることを目的として透明にしてあり、クロッチ部の前後の縫い目や側縁部との相対的な位置関係を目安にして位置決めをできるようにする具体的な構成について何ら記載されていない。
【０００８】
従って、本発明の目的は、ショーツ等に固定する際の位置決めが容易で、適切な位置に精度良く配置でき、更にショーツ等が排泄液で汚れることを防止することのできる吸収性物品を提供することにある。
【課題を解決するための手段】
【０００９】
本発明は、液保持層及び防漏層を具備する本体部分と、該本体部分を囲む、透明又は半透明の周辺部とからなる吸収性物品を提供することにより、上記の目的を達成したものである。
【発明の効果】
【００１０】
本発明の吸収性物品は、ショーツ等に固定する際の位置決めが容易で、適切な位置に精度良く配置でき、更にショーツ等が排泄液で汚れることを防止することができる。
【発明を実施するための最良の形態】
【００１１】
以下、本発明をその好ましい実施形態に基づき図面を参照しながら説明する。
本発明の一実施形態としてのパンティライナー（おりものシート）１は、図１及び図２に示すように、中央部に位置する本体部分２と、該本体部分２を囲む、透明又は半透明の周辺部５とからなる。本体部分２は長円形状を有している。周辺部５の外形も略長円形であるが、長手方向の中央部付近がやや細幅になっている。
本体部分２は、液保持層３と防漏層４とが積層されて一体化されてなり、肌当接面側から液を吸収して、その液を漏らさないように保持可能である。本体部分２の非肌当接面には、本物品固定用の粘着部７が形成されている。
【００１２】
本実施形態における液保持層３は、親水性の不織布、より具体的には、第１繊維層３１と第２繊維層３２とが積層されて部分的に接合されてなる多層不織布３から構成されている。
この多層不織布３は、３次元的に捲縮した潜在捲縮性繊維を含む第１繊維層３１と、潜在捲縮性繊維を含まないか又は潜在捲縮性繊維を第１繊維層３１中よりも低い含有率で含む第２繊維層３２とからなり、第１及び第２繊維層３１，３２が熱融着により部分的に一体化されてなる。この積層不織布は、第１繊維層形成材と第２繊維層形成材とを互いに積層した状態で、両者を熱又は超音波エンボス等により部分的に熱融着して、多数の熱融着部３３が分散状態に形成された中間体を製造した後、該中間体に熱処理を施して、第１繊維層形成材を熱収縮させて得られたものである。第２繊維層側には、多数の独立した凸部３４又は連続した凸部が形成されて、凹凸形状が形成されている。このような積層不織布としては、例えば特開２００２-１８７２２８号公報に記載の立体シート材料等を好ましく用いることができる。尚、この積層不織布は、繊維の段階あるいは不織布として完成した後に親水化油剤による親水化処理により親水性となっている。
【００１３】
潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維は、例えば収縮率の異なる２種類の熱可塑性ポリマー材料を成分とする偏心芯鞘型複合繊維又はサイド・バイ・サイド型複合繊維からなる。熱可塑性ポリマー材料としては、ポリエチレンやポリプロピレン等のポリオレフィン、ポリエチレンテレフタレート等のポリエステル、ポリアミド等が挙げられる。
【００１４】
液保持層３としては、多層不織布３からなるものに代えて、液透過性の表面シートと液保持性の吸収体とを積層したもの等を用いることもできる。表面シートとしては、各種製法による不織布、開孔フィルム、これらの積層体等を用いることができる。吸収体としては、パルプ繊維等の繊維集合体又はこれと吸水性ポリマーを併用したもの等を用いることができる。また、吸収体として、吸収紙、乾式パルプシート、積繊したシート状パルプウエブ、吸収性ポリマーシート（不織布、紙、高吸収性ポリマー等により構成）等の吸収シートを用いることもできる。このような吸収シートは、単独で液保持層を形成させることもできる。
【００１５】
防漏層４の形成材料としては、パンティライナーや生理用ナプキン等の吸収性物品の裏面シートとして従来用いられている各種のシート材を好ましく用いることができる。例えば、ポリエチレンフィルム、ポリプロピレンフィルム、ポリエステルフィルム等を用いることができる。また、ＳＭＳ不織布などの耐水性の高いシートを用いることもできる。
【００１６】
本実施形態における周辺部５は、図２に示すように、本体部分２の周縁部に、透明又は半透明のシート材５１を接合して形成されている。具体的には、本体部分２の外形とほぼ相似形状の開口を中央部に有するシート材５１を、該開口の周縁部と本体部分２の周縁部とを重ねるように、該本体部分２上に重ね、本体部分２の周縁よりやや内側の位置において、これらに一体的にヒートエンボス加工による接合処理を施して一体化させてある。図１，２中の符号５２で示す部分が、ヒートエンボス加工を施した部分である。従って、周辺部５は本体部分２の前後左右に存在している。
【００１７】
周辺部５を構成するシート材５１は、図３に示すように、シート材５１を通してショーツの縫い目６１，６２や該シート５１の裏側に位置する指等が透けて見えるものである。
【００１８】
周辺部の透明又は半透明の程度は、以下のようにして測定した背黒色明度ＬBが０〜２５であることが好ましく、特に５〜１５であることが好ましい。
〔背黒色明度ＬBの測定方法〕
本出願において定義する、「背黒色明度ＬB」とは、Ｌａｂ表色系において、標準黒色板を背面にした吸収性シートが示す明度Ｌ値をいい、その値が０〜１００の範囲で小さく、標準黒色板のＬ値に近い程、吸収性シートの透明感が高いことを意味する。
一般的には、明度Ｌが低い程、黒色であることを意味するため、透明感が高い物質を定義するには、標準白色板を用いた同様の「背白色明度Ｌｗ」を定義し、背白色では明度Ｌが高くなる（背色によって明度が変化する）ことを示すことが万全ではあるが、本願に関わる吸収性物品においては、一般に外観が白色である（明度が高い）ため、上記のごとく背黒色明度ＬBのみで定義可能である。
尚、この測定には標準的な色差計を所定の用法で用いることが可能である。本願においては日本電色（株）製色差計ＳＥ２０００、及び付属の標準黒色板を測定に用いた。
【００１９】
周辺部５を構成するシート材５１は、ショーツ等が排泄液で汚れることを防止する観点から防漏性シートからなることが好ましい。
防漏性シートは、液を透過させにくい性質を有するシートであり、液不透過性シート、撥水性シート、又は、ある程度の液保持性を有するシート等を用いることができる。
【００２０】
液不透過性シートとしては、（１）親水化処理を施していない各種熱融着性繊維からなる不織布、例えば熱融着繊維にはポリエチレン、ポリプロピレン、ポリエステル、及びこれらの何れかを組み合わせた複合繊維を、不織布の製法としてはエアスルー、ヒートロール、スパンボンド、スパンレースなどを用いて形成された、坪量１２から４５程度の不織布等を用いることができ、撥水性シートとしては、（２）透明で柔軟なフィルム、例えばポリエチレン、ポリプロピレン、エチレン-酢酸ビニル共重合体（ＥＶＡ）等からなる単層または複合層シート、及び（感触向上のため）これにエンボス処理または開孔処理を施したシート（坪量２５〜４５）、更にスパンボンド-メルトブローンの組み合わせ（ＳＭＳ、ＳＭＭＳなど）の不織布等を用いることができる。
【００２１】
ある程度の液保持性を有するシートとしては、上記（１）の不織布の繊維の一部に親水性繊維、例えば親水化した熱融着繊維またはレーヨン、コットンなどの親水性繊維を混合した不織布（坪量１２から４５程度）をそのまま用いるか、または、親水化処理した各種熱融着性繊維からなる各種不織布に上記（２）の透明で柔軟なフィルムを貼り合わせる、またはラミネーションする等の方法で複合化したシート（合計坪量２０〜５０程度）等を用いることができる。
【００２２】
上記の各種材料の中でも、やわらかさ、サラットした感触のよさ、透明感、コストの観点から、上記（１）の不織布からなる液不透過性シートを用いることが好ましく、特に感触のよさとコストの観点から、エアスルーまたはヒートロール法により製造した坪量２０〜４０の不織布、または坪量１０〜３０のスパンボンド、ＳＭＳ、ＳＭＭＳを用いることが好ましい。
【００２３】
本実施形態のパンティライナー１は、図１に示すように、長手方向及び幅方向を有しており、図３に示すように、その長手方向をショーツの前後方向に一致させて、ショーツのクロッチ部６の肌当接面上に固定して用いられる。
本実施形態のパンティライナー１によれば、図３に示すように、ショーツのクロッチ部６に固定する際に、透明又は半透明の周辺部５を通して、クロッチ部６の前後の縫い目６１，６２や側縁部６３，６３を見ることができるので、これらとの相対的な位置関係を目安にして位置決めを容易に行うことができ、パンティライナー１、特にその本体部分２を、ショーツの適切な位置に容易に固定することができる。
また、一旦固定してしまうと、周辺部は透明または半透明で目立たず、中央の小さい本体しか目立たないため、超小型の製品と同様に、使用者の心理的負担を低減することができる。
【００２４】
また、本体部分２のみからなる場合とは異なり、周辺部５、好ましくは周辺部５におけるパンティライナー１の長手方向の前方及び後方に位置する部分を、図３に示すように両手で摘んで、クロッチ部６に固定することができるので、パンティライナー１を、ショーツの前後方向に対して傾斜させることなく、適切な向きに確実に固定することができる。
また、周辺部５の存在により、ショーツ上に配置したパンティライナー１が、ショーツ上において回転したりよれたりすることが防止され、また、本体部分２から外れた位置に液が排泄されたり、液が本体部分２から外方に移動しても、ショーツや衣類が汚れることを防止することができる。
【００２５】
また、周辺部５が存在しない場合には、本体部分２の周縁部が、ショーツに押し上げられて立ち上がり、それが着用者を刺激して、違和感の原因となる場合があるが、周辺部５の存在により、本体部分２の周縁部が立ち上がりにくくなるため、そのような原因による違和感を防止することができる。尚、周辺部５の周縁部が立ち上がることもあるが、周辺部５は本体部分２より柔軟であり、違和感を発生させにくい。
このような効果が一層確実に奏されるようにする観点から、本体部分２の非肌当接面に形成されたパンティライナー固定用の粘着部７は、該本体部分２の周縁から延出して周辺部５まで達していることが好ましい。粘着部７は、本体部分２の長手方向の両側縁から外方に延出していることが好ましく、本体部分２の周縁の周全域において外方に延出していることがより好ましい。この粘着部７の延出幅は、例えば０ｍｍ超〜２０ｍｍとすることができる。
【００２６】
また、粘着部７は、本体部分２から周辺部５に亘って連続して形成されていることが好ましい。本体部分２から周辺部５に亘って連続していることで、本体部分２と周辺部５との境界付近に、不適切な折れ曲がりを発生せずに、装着された下着に良好に追随することができる。また、図１及び図２に示すように、粘着部７は、本体部分２の前後左右の周辺部に延出していることが一層好ましい。粘着部７は、各種公知の粘着剤を用いて形成することができる。
【００２７】
更に、周辺部５が存在しない場合には、クロッチ部６の両側部が、本体部分２の両側縁を包むように変形して、違和感を生じたり、体液がクロッチ部に染みてモレにつながる恐れがあるが、周辺部５の存在により、クロッチ部６のそのような変形が生じにくくなるため、そのような原因による違和感を防止することができる。
【００２８】
本発明は、本体部分２の面積が比較的小さい吸収性物品に特に有用である。そのような吸収性物品としては、例えば、本体部分２の面積が１２〜７０ｃｍ2であるものを挙げることができ、この場合、本体部分２の面積に対する周辺部５の面積の比（後者／前者）は０．２〜９であることが好ましい。使用者に、漏れの不安がなく、かつ視覚上の着用違和感がないという効果を確実に得る観点から、この比は０．６〜５．０であることが特に好ましい。
【００２９】
また、本発明は、パンティライナー１のように、ショーツのクロッチ部６に、該クロッチ部６の両側縁６３，６３からはみ出さないように載置されて用いられる吸収性物品に特に有用である。例えば、クロッチ部の両側縁に沿って折り曲げて使用するウイング部を有するような吸収性物品においては、そもそも、ウイング部やその折り曲げ位置との関係において適切な装着位置が判り易いし、長手方向をショーツの前後方向から傾斜して固定する恐れが殆どない。
【００３０】
本実施形態のパンティライナー１における各部の好ましい寸法を記載すると以下の通りである。
長手方向の全長Ｌ：６０〜２５０ｍｍ、特に１００〜２００ｍｍ。
本体部分の長手方向の長さＬ１：４０〜１７０ｍｍ、特に５０〜１２０ｍｍ。
前記全長Ｌに対する前記長さＬ１の割合：２５〜８５％、特に５５〜７５％。
長手方向における周辺部の長さＬ２：２０〜２１０ｍｍ、特に５０〜１２０ｍｍ。
【００３１】
幅方向の最大寸法（最大幅）Ｗ：４０〜１４０ｍｍ、特に４５〜８０ｍｍ。
本体部分の幅方向の長さＷ１：２０〜７０ｍｍ、特に２５〜５５ｍｍ。
最大幅Ｗに対する前記長さＷ１の割合：１５〜８５％、特に５５〜７５％。
幅方向における周辺部の最小長さＷ２：５〜１２０ｍｍ、特に２０〜５０ｍｍ。
製品中央における本体側縁から片側の製品側縁までの距離：５〜８０ｍｍ、特に１０〜４０ｍｍ。
【００３２】
以上、本発明の一実施形態について主に説明したが、本発明の吸収性物品は、上記の実施形態に制限されるものではなく、本発明の趣旨を逸脱しない範囲において種々変形可能である。
例えば、図４に示すパンティライナー１’のように、本体部分２の一部を構成するシートとして、透明又は半透明のシート材４１を用い、該シート材４１を本体部分２から延出させて周辺部５を形成することもできる。図４に示すパンティライナー１’においては、防漏層４を構成するシート材４１として、透明又は半透明のシート材４１が用いられており、その延出部分５１が透明又は半透明の周辺部５を構成している。また、本体部分２の粘着部７は、左右に分割されて形成されているが、左右のそれぞれは、パンティライナー１’の幅方向において、本体部分２から周辺部５に亘って連続的に形成されており、且つパンティライナー１’の長手方向においても、本体部分２から周辺部５に亘って連続的に形成されている。尚、パンティライナー１’の長手方向においては、本体部分２内に収まる長さの粘着部７であって、幅方向においては、本体部分２から周辺部５に亘って連続的に形成された粘着部７を設けることもできる。
また、本体部分２及び周辺部５は、ぞれぞれ、長円形の他、長方形、正方形、楕円形、卵形等とすることができる。
更に、周辺部は幅方向が下着のクロッチ外縁から延出した部分をフラップまたはウイングとして用いることも可能である。
【００３３】
本発明の吸収性物品は、パンティライナー（おりものシート）、生理用ナプキン、失禁パッド等であっても良い。
【図面の簡単な説明】
【００３４】
【図１】図１は、本発明の一実施形態としてのパンティライナーを示す斜視図である。
【図２】図２は、図１のＸ−Ｘ断面を一部省略して示す断面図である。
【図３】図３は、図１のパンティライナーをショーツのクロッチ部に固定する様子を示す斜視図である。
【図４】図４は、本発明の他の実施形態としてのパンティライナーを示す図（図２相当図）である。
【符号の説明】
【００３５】
１，１’  パンティライナー
２  本体部分
３  積層不織布（液保持層）
４  防漏層
５  周辺部
６  クロッチ部
７  粘着部
【図１】
2006158747.tif 000003
【図２】
2006158747.tif 000004
【図３】
2006158747.tif 000005
【図４】
2006158747.tif 000006